(57)【要約】本発明は、一般的には、２つのビデオ番組と電子番組案内（”ＥＰＧ”）を同時に表示することができるテレビジョン受信器に関連する。ＥＰＧは、ピクチャ−イン−ピクチャ（ＰＩＰ）表示を含む分割スクリーンの第１の部分に表示される。電子番組案内の走査は、ユーザが分割スクリーンの第２の部分でもとのビデオ番組を更に見ることができながら、異なるビデオ番組がＰＩＰ表示内に表示されることを起こす。
2004501581.tif 000002
【特許請求の範囲】
【請求項１】
番組情報を含む第１のビデオ源を受信する第１のビデオ源受信器と、
番組情報を含む第２のビデオ源を受信する第２のビデオ源受信器と、
電子番組案内情報を受信する電子番組案内受信器と、
１）ディスプレイの第１の半分に、第１のビデオ源からの番組情報を、２）ディスプレイの第２の半分に、電子番組案内を、そして、３）ディスプレイの第２の半分のＰＩＰ部分に、第２のビデオ源からの番組情報を、同時に表示するプロセッサと、
電子番組案内から、ＰＩＰ内に表示される第２のビデオ源からの番組情報を選択するオンスクリーン選択器を有する、ビデオシステム。
【請求項２】
第２のビデオ源は、選択器により電子番組案内の中でブラウズされている番組に関連する情報を提供する、請求項１に記載のビデオシステム。
【請求項３】
第１と第２のビデオ源はチューナーである、請求項１に記載のビデオシステム。
【請求項４】
電子番組案内を蓄積するメモリを更に有する、請求項１あるいは３に記載のビデオシステム。
【請求項５】
ディスプレイと、
番組情報を含む第１のビデオ源を受信する第１のビデオ源受信器と、
番組情報を含む第２のビデオ源を受信する第２のビデオ源受信器と、
電子番組案内情報を受信する電子番組案内受信器と、
１）ディスプレイの第１の半分に、第１のビデオ源からの番組情報を、２）ディスプレイの第２の半分に、電子番組案内を、そして、３）ディスプレイの第２の半分のＰＩＰ部分に、第２のビデオ源からの番組情報を、同時に表示するプロセッサと、
電子番組案内から、ＰＩＰ内に表示される第２のビデオ源からの番組情報を選択するオンスクリーン選択器を有する、ビデオシステム。
【請求項６】
第１と第２のビデオ源はチューナーである、請求項５に記載のビデオシステム。
【請求項７】
第１のビデオ源はチューナーである、請求項５に記載のビデオシステム。
【請求項８】
第２のビデオ源はチューナーである、請求項５に記載のビデオシステム。
【請求項９】
ビデオ信号を処理し、且つ、主映像信号を供給するテレビジョンモジュールと、
主映像信号内により小さなサブ映像がある複合映像を提供するＰＩＰモジュールと、
ディスプレイの第１の半分にビデオ信号をそして、ディスプレイの第２の半分に複合映像を提供する、ダブルウインドウモジュールとを有するビデオシステムであって、
テレビジョンモジュールは、主映像として番組情報の電子番組案内を提供する電子番組案内ビデオ源を有し、且つ、更に、電子番組案内を通してスクロールし且つより小さなサブ映像内に提供される番組情報を選択する選択器を有する、ビデオシステム。
【請求項１０】
テレビジョンモジュールは、ディジタルテレビジョンモジュールである、請求項９に記載のビデオシステム。
【発明の詳細な説明】
【０００１】
発明の分野
本発明は、一般的には、２つのビデオ番組と電子番組案内（”ＥＰＧ”）を同時に表示することができるテレビジョン受信器に関連する。ＥＰＧは、ピクチャ−イン−ピクチャ（ＰＩＰ）表示を含む分割スクリーンの第１の部分に表示される。ＥＰＧの走査は、ユーザが分割スクリーンの第２の部分でもとのビデオ番組を更に見ることができながら、異なるビデオ番組がＰＩＰ表示内に表示されることを起こす。
【０００２】
発明の背景
従来のピクチャ−イン−ピクチャ（”ＰＩＰ”）テレビジョン受信機では、テレビジョンは、少なくとも２つの入力源から得て、そして、単一の画像を形成する。ＰＩＰモジュールにより生成された画像は、最大限の寸法を占める主部分、及び、全体の画像の小部分をのみを占めるようにスケーリングされた１つ又はそれ以上のＰＩＰ部分より構成される。ＰＩＰ部分は、典型的には、画像の主部内に完全に含まれている。
【０００３】
画像のＰＩＰ部分は、図１ａに示すように主映像どこにも任意に配置することができる。画像のＰＩＰ部分も、図１ｂに示すように任意の大きさが与えられ（又は、再度大きさを与えられ）うる。
【０００４】
マルチウインドウ表示モードでは、テレビジョン産業ではピクチャ−アウト−オブ−ピクチャ（”ＰＯＰ”）として知られているように、２つ又はそれ以上の重ならない表示領域が、モザイクパターンでスクリーン上に配置される。各表示領域は、独立なビデオ源からのビデオを含み、そして、サイズや形状を変えることが可能である。マルチ−ウインドウの特徴の好適な実施例は、図２に示すように、並べて表示される、領域数を２つの、等しいサイズのパネル（パネル１とパネル２）に制限する。
【０００５】
利用できる番組に関する情報を視聴者に提供する、種々の形式のオンスクリー番組案内を含むテレビジョンシステムも、入手できる。これらのシステムの１つは、ＰＣＴＷＯ９７／３４４１３に記載されている。ＥＰＧは、１つ又はそれ以上の番組表のスクリーンを提供する形式である。これらの表は、現在、テレビ放送されている及び将来放送される番組を含んでもよい。ＥＰＧは、現在、テレビ放送されている番組を表示するＰＩＰウインドウを含む。視聴者は、ＰＩＰウインドウに表示されている番組を、ＥＰＧ内の現在テレビ放送されている番組の表を通してカーソルにより変更してもよい。
【０００６】
これらのテレビジョンシステムの問題は、他のビデオ番組を選択してそして見るために、インターラクティブＥＰＧを通してスクロールしながら、１つのビデオ番組を見ることができないことである。
【０００７】
発明の概要
本発明は、インターラクティブＰＩＰ　ＥＰＧを有する分割スクリーンを有することにより、それによって、ユーザが、半分のビデオスクリーンで第１のビデオ番組を見ることができ、一方では、第２の半分のビデオスクリーンで、ＥＰＧを使用し、且つＰＩＰ内で走査することによりＥＰＧから番組を選択することにより、上述の問題を解決する。これは、１つのビデオ番組を見ながら、一方では、同時に視聴者がインターラクティブＥＰＧとＰＩＰを介して他を見るために検索することを可能とする。
【０００８】
更に、本発明の他の目的と優位点は、明細書から明らかとなろう。
【０００９】
従って、本発明は、以下の詳細な説明に例示されるような、幾つかのステップと、互いに関して１つ又はそれ以上のそのようなステップの関係を有し、且つ、そのようなステップを行うのに適用される、構成の特徴を実現する装置、構成要素の配置及び、部品の配置を含み、そして、本発明の範囲は、請求項により示されている。
【００１０】
本発明のより良い理解のために、添付の図面が参照される。
【００１１】
好適な実施例の説明
図３は、現在の発明に従った、テレビジョン受信機を示す一般的なブロック図である。ＰＩＰチューナ１１は、アンテナ、ケーブル又は、ＶＣＲのＮＴＳＣ／ＰＡＬ変調出力のようなビデオ源からビデオを受信する。ＩＦフィルタ／復調器１２は、チューナからの信号に条件を付し、帯域内オーディオと隣接チャネルからのキャリアを分離し、残り（輝度、クロマ及び、同期信号）を複合ビデオ信号としてＰＩＰプロセッサ１４に出力する。ＰＩＰプロセッサ１３へのビデオ源は、発生されたグラフィックス及びディジタルビデオを含むどのような内容も含む。ＰＩＰプロセッサ１３は、縮小版のビデオ信号を出力する。この縮小版は、少なくとも２つのビデオ源を取り、そして、幾つかのプログラム可能な方法でそれらを結合する。ビデオブレンダー１４供給される。この場合に、ビデオブレンダー１４は、ＰＩＰプロセッサ１３の出力とＥＰＧ信号を結合する。ビデオブレンダー１４の出力１５は、チューナ１１を介して受信されたビデオ信号のＰＩＰ表示を伴なうＥＰＧの主サイズの表示である。この結合された信号は、第２のチューナ（図示していない）を通して又は他のソースから、他のビデオ信号（ビデオ源１）も受信する、デュアルスクリーンモジュール２０へ送られる。用語の”チューナ”は、ここでは、衛星、ＮＴＳＣ／ＰＡＬ、ＡＴＳＣ又は、ケーブルチューナ等を示す。デュアルスクリーンモジュール２０は、第２のビデオ源と結合されたＰＩＰ　ＥＰＧを結合し、３つの画像表示２１を生成し、ビデオ源１からのビデオコンテンツは、ＰＩＰサブ映像を含まないパネルであるパネル１内で示され、そして、ＥＰＧ表示（ビデオ源２）はＰＩＰサブ映像（ビデオ源３）を含むパネルであるパネル２で表示される。第２のパネル内のＰＩＰサブ映像は、ＥＰＧ内でブラウズされているチャネルに関連するビデオを表示するのに使用される。
【００１２】
本発明の好適な実施例では、第１のビデオ源は、ＤＶＤ又はＶＣＲからであり、それにより、ユーザは、生のＴＶ上の番組に対するＥＰＧをブラウズしながら映画を見ることができる。図４は、デュアルスクリーンモジュール２０の出力２１の更なる詳細を示し、左手のスクリーン２２は、（ＶＣＲ又は、ＤＶＤプレーヤのような）外部のビデオ源から又は、搭載されたチューナから受信された第１のビデオ番組を含む。右手のスクリーン２３は、ＰＩＰを有するインターラクティブＥＰＧを含む。ユーザは、ＥＰＧを通してスクロールし、そして、番組が選択されたときに、ユーザが、第１のビデオ番組の代わりに又はそれに加えてこの番組を見たいかどうかを確かめるために、ＰＩＰ上で見ることができる。その間にスクリーンの左手部分に示されているので、ユーザは、第１の番組を見過ごさない。代わりに、番組がＥＰＧから選択されたときには、トレーラ又は、要約が表示される。更に高価なテレビジョンでは、２つの搭載チューナがあり、１つは、ＰＩＰビデオ用であり、１つは主ビデオ用である。安価なテレビジョンでは、ＶＣＲからのチューナ又は他のビデオ源が使用される。ＥＰＧは、ビデオストリームそれ自身又は、電話接続、Ｔｉｖｏ等を介してのような、多くの既知の方法で提供される。
【００１３】
テレビジョンには、テレビジョンを制御し且つＥＰＧを走査するようになされた遠隔制御装置が設けられている。テレビジョンは、遠隔制御装置から制御信号を受信するための遠隔制御信号受信器を有する。これらの信号は、復号されそして、テレビジョンとＥＰＧの制御のためのコントローラに供給される。遠隔制御装置は、チャネルアップ／ダウン、音量のアップ／ダウン、電源のオン／オフ、数字キー及び、メニューの特徴のような、一般的な特徴の全てを有する。これに加えて、ＥＰＧボタンとスクロールアップ／ダウンボタンがＥＰＧナビゲーションのために設けられている。ＥＰＧボタンの選択に際し、テレビジョンスクリーンは図４に示すようにマルチプレクサウインドウスクリーンになる。ユーザは、ＥＰＧを通して選択器を操作するためのスクロールアップ／ダウンボタンを有する。ＥＰＧの各番組タイトルがハイライトされ又は、選択されると、この番組に対応するビデオ番組が、自動的にＰＩＰ内に供給される。代わりに、遠隔制御装置は、スクロール中に押されると、ハイライとされた番組タイトルに対応するビデオが、その番組のためにＰＩＰ内に出現する選択ボタンを有する。
【００１４】
図５は、本発明の更に詳細な好適な実施例を示す。この実施例は、ディジタルモジュール５０、ＰＩＰモジュール６０及び、ダブルウインドウモジュール７０を含む。ディジタルモジュール５０は、ディジタルチューナ５１を介して受信されたＡＴＳＣ地上放送信号内に含まれるビデオを処理でき、且つ、それを、表示のために他のビデオ又はグラフィックス源と結合できる。この実施例は、埋め込みマスストレージ装置５５（例えば、磁気ディスク、ＤＶＤ、Ｔｉｖｏのようなデータ等）に蓄積されたビデオを処理する。また、メモリ５６（ＲＡＭ）内に蓄積されたビデオ又は、ＶＣＲのような外部源からのビデオで、表示を構成するように処理する。メディアプロセッサのようなソフトウェアのより発生された、ＥＰＧのような、グラッフィックスは、表示情報の”ビデオ”源の１つでもある。
【００１５】
ディジタルチューナ５１は、ディジタル地上、ケーブル又は、衛生放送を受信し、隣接チャネル妨害を除去するためにＩＦフィルタリングを実行し、そして、ＩＦ（１ＭＨｚから７ＭＨｚ又は、４１．２５ＭＨｚから４５．７５ＭＨｚ）信号をマルチ標準復調器５２へ出力する。マルチ標準復調器５２は、ＡＴＳＣ、衛星、ＮＴＳＣ／ＰＡＬ又は、ケーブル放送からの信号を復号できる。ＡＴＳＣ放送の場合には、復調器５２は、パイロットキャリアと同期情報を再生し、信号からＩ−チャネルを復調し、そして、それを復号する。復調器５２の出力は、オーディオ、ビデオ及び、他の種類のデータを含むＡＴＳＣトランスポートストリームである。トランスポートストリームは、ビデオストリームを分離し且つ復号する、メディアプロセッサ５３で処理される。完全に逆圧縮された映像は、ＹＵＶフォーマットで、メディアプロセッサ５３のＤＶＩ出力で利用でき、データ選択器（ＹＵＶ　ＭＵＸ）７７を介して、ダブルウインドウモジュール７１の入力に直接的に与えられる。メディアプロセッサ５３のＤＶＩ、ＹＵＶ出力も、ＤＥＮＣ（ディジタル符号化器）５４によりＣＶＢＳに変換され、そして、ＰＩＰモジュール６０の入力の源の１つとして使用される。
【００１６】
データストリーム内の受信されたデータより構成されるグラフィックスデータは、メディアプロセッサ５３のＤＶ２ポートから同時に利用できる。ＤＶ２出力は、番組案内を運ぶＹＵＶビデオ信号である。それは、ＰＩＰモジュール６０のＭＡＩＮ入力に与えられる。フィリップスメディアプロセッサ５３も、ユーザに、ＤＶ２上に現れる電子番組案内情報を通してスクロールし且つＤＶ１上に現れる番組情報を選択することを可能とする機能を含む。
【００１７】
ＰＩＰモジュール
ＰＩＰモジュール６０は、１つはアンテナから、２つの、ＣＶＢＳ及び、ＭＡＩＮ入力上の１つのＹＵＶ信号の、４つのビデオ入力源を受ける。
【００１８】
アンテナは、ＵＨＦ及びＶＨＦ帯内の地上放送チャネルを処理するチューナ６１に接続されている。チューナ６１は、フィリップスメディアプロセッサ５３により制御され、ＲＦスペクトラムからいずれかのチャネルを選択する。チューナ６１の出力は、隣接チャネル内の映像と音声キャリアからの妨害を除去するために、ＩＦフィルタブロック６２内でフィルタされる。そして、ＩＦフィルタブロック６２により出力されたＲＦ信号は、同調されたチャネルのビデオから音声キャリアと同期信号を分離するＮＴＳＣ／ＰＡＬ復調器６３により処理される。ＮＴＳＣ／ＰＡＬ復調器６３の出力は、選択されたチャネルの映像のカラー、輝度及び、同期情報を含む、６ＭＨｚ復号ベースバンドビデオ信号（ＣＶＢＳ）である。このビデオ源は、ＰＩＰＤＳＰプロセッサ６５への１つの入力として、選択器６４を介して選択されることが可能である。
【００１９】
ＰＩＰＤＳＰプロセッサ６５のＳＵＢ１とＳＵＢ２入力は、外部チューナ（ＶＣＲ，ＤＶＤプレーヤ等）又は、内部ビデオ源からＣＶＢＳ信号を受け、そして、ＰＩＰＤＳＰプロセッサ６５へ、それらを、可能な選択できる入力として利用できるようにする。復調器６３からＰＩＰＤＳＰ６５への入力でのビデオは、元のサイズから１／１６又は１／９にスケーリングされ、そして、フィリップスメディアプロセッサ５３からのＹＵＶ信号と多重される。ＰＩＰプロセッサ６５へのＭＡＩＮ入力は、メディアプロセッサ５３からのＤＶ２出力に接続されており、これは、この出力に番組案内情報を含む映像を提供することができる。
【００２０】
ＰＩＰモジュールの出力は、（典型的には）４分の１のより小さいサブ映像を伴なうＭＡＩＮ映像を含む。この結合された出力は、ディジタル符号化器６６によりＣＶＢＳに変換され、そして、ダブルウインドウモジュール７０へのＰＡＮＥＬ１　７５入力の１つとして使用される。ＰＩＰモジュールのＹＵＶ出力も、パネルスワップ動作を行うために、ダブルウインドウモジュール７０のＰＡＮＥＬ２　７７入力の１つとして利用できる。
【００２１】
ダブルウインドウモジュール
ダブルウインドウモジュールは、２つの主な入力グループから入力を受ける。入力の１つのグループは、デュアルスクリーンディスプレイのパネル１を駆動することが意図されている。入力の他のグループは、デュアルスクリーンディスプレイのパネル２を駆動することが意図されている。入力のＰＡＮＥＬ１選択器７５グループは、ＰＩＰモジュール６０とディジタルモジュール５０から得られたＣＶＢＳ信号である。ＰＡＮＥＬ１選択器７５グループ内の第３の入力は、ダブルウインドウモジュール７０内に統合されているアナログチューナから得られる。
【００２２】
ダブルウインドウモジュール７０のアンテナで受信された信号は、ＲＦスペクトラムからいずれかのチャネルを選択するチューナ７２により処理される。チューナ７２の出力は、隣接のＮＴＳＣ／ＰＡＬチャネル（音声及びビデオキャリア）からの妨害を除去するためにＩＦフィルタ７３される。ＩＦフィルタ７３の出力は、音声キャリアと同期信号を除去するために、ＮＴＳＣ／ＰＡＬ復調器７４内のＩＦ部により処理される。残りの映像情報は、復調され、そして、復調器７４の出力で、複合ベースバンド（０−４．２ＭＨｚ）ビデオビデオとして、利用できる。復調器７４の出力は、ＰＡＮＥＬ１ビデオ選択器７５に送られる。３つのＣＶＢＳビデオ信号のうちの１つが、ＰＡＮＥＬ１選択器７５の入力で、ディスプレイのパネル１上に出力するためのＴＶアプリケーション（この場合には、ＰＩＰビデオを有する案内を含むＣＶＢＳ信号）により、選択される。ＰＡＮＥＬ１選択器７５の出力は、輝度成分を分離し、垂直及び水平同期信号を除去し、且つ、カラー情報をその赤及び青色差信号に復調する、カラー復号器７６により処理される。分離された輝度及び、色差信号は、ディジタル化されそして、ＹＵＶコンポーネントフォーマットで出力される。
【００２３】
ＰＡＮＥＬ２選択器７７は、入力ＹＵＶ信号のうちの１つを出力する、ＴＶアプリケーションにより制御される。ＰＡＮＥＬ２選択器７７の出力は、デュアルスクリーンディスプレイのパネル２を駆動するために使用される。
【００２４】
パネル１とパネル２のＹＵＶ信号は、適切にスケーリングし且つ２つのディジタルビデオ信号をスクリーンの有効な表示領域内に入るように、２つのディジタルビデオ信号を多重する、ダブルウインドウＤＳＰ７１内で結合される。
【００２５】
前述の記載から明らかにされた、前述の目的は、効果的に達成されるのが理解され、そして、本発明の範囲を離れることなく、前述の方法を実行する際にそして前述の構成で、ある変更が行われ得るので、前述の説明と添付の図面に含まれている全ての事柄は、制限する意味では無く、説明するものとして理解されるべきである。
【図面の簡単な説明】
【図１ａ】ＰＩＰ表示を示す図である。
【図１ｂ】他のＰＩＰ表示を示す図である。
【図２】ダブルウインドウ表示を示す図である。
【図３】本発明に従った、テレビジョンシステムと関連するビデオ出力を示す図である。
【図４】本発明の好適な実施例の詳細な表示を示す図である。
【図５】本発明の好適な実施例に従った、テレビジョンの詳細な説明を示す図である。
【図１ａ】
2004501581.tif 000003
【図１ｂ】
2004501581.tif 000004
【図２】
2004501581.tif 000005
【図３】
2004501581.tif 000006
【図４】
2004501581.tif 000007
【図５】
2004501581.tif 000008
【国際公開パンフレット】
2004501581.tif 000009
2004501581.tif 000010
2004501581.tif 000011
2004501581.tif 000012
2004501581.tif 000013
2004501581.tif 000014
2004501581.tif 000015
2004501581.tif 000016
2004501581.tif 000017
2004501581.tif 000018
2004501581.tif 000019
2004501581.tif 000020
2004501581.tif 000021
2004501581.tif 000022
2004501581.tif 000023
【国際公開パンフレット（コレクトバージョン）】
2004501581.tif 000024
【国際公開パンフレット（コレクトバージョン）】
2004501581.tif 000025
【国際調査報告】
2004501581.tif 000026
2004501581.tif 000027
2004501581.tif 000028